(57)【特許請求の範囲】
【請求項１】
ランプ容器（６０）内に設けられている少なくとも１つの白熱フィラメント（６３）と、当該白熱フィラメント（６３）用の電流供給部（６４，６５）を有する電気白熱ランプであって、
前記電流供給部の少なくとも１つ（６５）は曲げられた端部（６５１）を有しており、
前記の少なくとも１つの白熱フィラメント（６３）は、コイル軸に対して横方向に当該の白熱フィラメント（６３）から突出したフィラメント終端部（６３２）を有しており、
前記の曲げられた端部（６５１）と、フィラメント終端部（６３２）とが接続されている電気白熱ランプにおいて、
前記の曲げられた端部（６５１）と、少なくとも１つの白熱フィラメント（６３）のフィラメント終端部（６３２）とは、当該の少なくとも１つの白熱フィラメント（６３）のコイル軸に対してほぼ垂直な平面内で互いに接続されていることを特徴とする
電気白熱ランプ。
【請求項２】
電流供給部（６５）は、リード線である、
請求項１記載の電気白熱ランプ。
【請求項３】
電気白熱ランプは、自動車前照灯である、
請求項１または２記載の電気白熱ランプ。
【発明の詳細な説明】
【技術分野】
【０００１】
本発明は、ランプ容器内に設けられている少なくとも１つの白熱フィラメントと、当該白熱フィラメント用の電流供給部を有する電気白熱ランプであって、電流供給部の少なくとも１つは曲げられた端部を有しており、該端部は、少なくとも１つの白熱フィラメントの巻回軸に対して横方向に延びている、少なくとも１つの白熱フィラメントのフィラメント終端部と接続されている電気白熱ランプに関する。
【背景技術】
【０００２】
その種の白熱ランプは、公知刊行物に記載されている（特許文献１参照）。この刊行物には、ランプ容器内に密閉された、減光乃至ハイビームの形成用の２つの白熱フィラメントを有する自動車前照灯用のハロゲン白熱ランプが記載されている。ハイビームの形成用に使われるメインフィラメントは、ランプ軸に対して横方向に配向されていて、当該メインフィラメントの、モリブデン薄膜によって囲繞されたフィラメント終端部は、各々電流供給部と溶接されている。減光の形成に使われる補助コイルは、ランプ容器内に同軸状に配向され、その巻回軸に対して横方向に延在されていてモリブデン薄膜で囲繞されたフィラメント終端部を有しており、フィラメント終端部は、電流供給部の端部と溶接されている。この白熱フィラメントの他方のフィラメント終端部は、モリブデン薄板製の減光ドームと溶接されている。
【特許文献１】ドイツ連邦共和国特許公開第１０１４５４２７号公報  上述のコイル懸架補助コイルの欠点は、白熱フィラメントの巻回時の不正確さによって、白熱フィラメント内での機械的な緊張力、さらには、白熱フィラメントのねじれを生じることがある点にある。例えば、補助コイルの巻回過程で、１／４巻線が多すぎたり、又は、少なすぎたりして形成されると、補助コイルの各フィラメント終端部の少なくとも１つが間違った方向を指し、その際、白熱フィラメント又はフィラメント終端部を変形させなければ電流供給部と溶接することができなくなってしまう。
【発明の開示】
【発明が解決しようとする課題】
【０００３】
本発明の課題は、改善されたコイル懸架部を有する電気白熱ランプを提供することにある。殊に、白熱フィラメントの巻回時の若干の不正確にも拘わらず、白熱フィラメント内での機械的な緊張の原因とならずに電流供給部に白熱フィラメントを取り付けることができるようにすることにある。
【課題を解決するための手段】
【０００４】
この課題は、本発明によると、曲げられた端部及び少なくとも１つの白熱フィラメントのフィラメント終端部は、少なくとも１つの白熱フィラメントのコイル軸に対して横方向の１平面に設けられていることにより解決される。
【発明の効果】
【０００５】
上記の解決手段によって、白熱フィラメントの巻回時に不正確さが生じている場合であっても、白熱フィラメント内に機械的な緊張力を生じることなく、電流供給部の曲げられた端部に接続すべきである少なくとも１つの白熱フィラメントのフィラメント終端部と、電流供給部とを接続することができるようになる。巻回過程での製造誤差に起因して、白熱フィラメントが１巻線の数分の１多すぎたり又は少なすぎたりしている場合、白熱フィラメントのフィラメント終端部と、電流供給部の曲げられた端部との間の角度が変わってしまい、これによってフィラメント終端部と、電流供給部との接続個所が、電流供給部の曲げられた端部の方に相応にずれてしまう。例えば、図１に示された白熱フィラメントが、１巻線の数分の１だけ少なすぎると、白熱フィラメントの他方のフィラメント終端部が空間的に固定されている場合には、フィラメント終端部と、電流供給部の曲げられた端部との間の接続個所が、曲げられた端部の端面側に移動してしまう。それに相応して、白熱フィラメントが１巻線の数分の１だけ多すぎる場合には、フィラメント終端部と、電流供給部の曲げられた端部との間の接続個所が、曲げられた端部の方へ反対方向に移動する。従って、本発明のフィラメント懸架部によると、上述の場合に、白熱フィラメント内に機械的な緊張力を生じずに、その電流供給部に白熱フィラメントを確実に固定することができるようになる。
【発明を実施するための最良の形態】
【０００６】
特に有利な実施例は、従属請求項に記載されている。
【０００７】
電流供給部の曲げられた端部の長さは、有利には、約１ｍｍ〜５ｍｍの値である。そうすることによって、白熱フィラメントの巻回過程時に通常生じる全ての製造許容偏差を考慮することができるようになる。本発明の有利な実施例によると、電流供給部の曲げられた端部、及び、この端部に接続された、少なくとも１つの白熱フィラメントのフィラメント終端部は、有利には、前述の白熱フィラメントの巻回軸に対して垂直方向の面内に設けられている。そうすることによって、フィラメント終端部での捩れや、曲げ個所を回避することができる。
【０００８】
上述の曲げられた端部に装着される電流供給部は、製造技術上の理由から有利には線として構成されている。電流供給部の曲げられた端部は、フィラメント終端部を、少なくとも１つの白熱フィラメントと良好に溶接接続することができるようにするために、扁平に構成することができる。前述のフィラメント終端部は、更に、白熱フィラメントと、有利にはモリブデン製の電流供給部との間の良好な溶接接続を行うために、モリブデン薄膜によって囲繞するとよい。
【実施例】
【０００９】
図６には、本発明の第１の実施例の電気白熱ランプが示されている。この白熱ランプは、白熱フィラメントが装着されていて、自動車前照灯用に設けられている所謂シングルフィラメントハロゲンランプである。このハロゲン白熱ランプは、ピンチフート６１を用いて密閉されたガラス製のランプ容器６０を有している。ピンチフート６１は、ソケット６２内に固定されている。ほぼ円筒状のランプ容器６０の内部スペースには、タングステン線から形成された白熱フィラメント６３が設けられており、ランプ容器軸に対して平行に配向されている。白熱フィラメント６３は、その巻回軸に対して垂直方向の２つのフィラメント終端部６３１，６３２を有しており、このフィラメント終端部は、各々モリブデン製の電流供給部６４，６５と溶接されている。電流供給部６４，６５は、ピンチフート６１を介してランプ容器６０から導出されており、各々ハロゲン白熱ランプの電気端子６６乃至６７と導電接続されている。
【００１０】
図１には、図６に示されたハロゲン白熱ランプの白熱フィラメント６３のコイル懸架部の詳細が示されている。白熱フィラメント６３の第１のフィラメント終端部６３１は、モリブデン薄膜６３３で巻回されていて、電流供給部６４と溶接されている。白熱フィラメント６３の第２のフィラメント終端部６３２は、同様にモリブデン薄膜６３４で囲繞されていて、電流供給部６５の曲げられた端部６５１と溶接されている。電流供給部６５の曲げられた端部６５１及び白熱フィラメント６３の第２のフィラメント終端部６３２は、共通平面内に白熱フィラメント６３の巻回軸に対して垂直方向に設けられている。
【００１１】
図２〜４には、２つの白熱フィラメントが装着されていて、自動車前照灯用に設けられた所謂２フィラメントハロゲン白熱ランプ用の本発明のコイル懸架部の種々異なる側から見た図が示されている。図５には、そのようなハロゲン白熱ランプが略示されている。このハロゲン白熱ランプは、ピンチフート１ａを用いて気密に密閉された、ほぼ円筒状のガラス製ランプ容器１を有している。ランプ容器１のドームには、透光性のコーティング１ｂが設けられている。ピンチフート１ａは、３つの電気端子３が装着されたソケット２内に固定されている。ランプ容器１内には、ランプ容器軸に関して同軸に配向された第１の白熱フィラメント４、所謂補助コイル４、及び、ランプ容器軸に対して横方向に配向された第２の白熱フィラメント５、所謂メインフィラメント５が設けられている。補助コイル４は、部分的に、遮蔽装置６（以下、減光ドームと呼ぶ）によって囲まれている。この補助コイル４は、自動車で、減光又はデイタイムドライビングライトを形成するために使われる。両白熱フィラメント４，５用のコイル懸架部は、減光ドーム６及び電流供給部７，８，９並びに電流供給部７，８，９がシールされる水晶ガラスバー１０から構成されている。この電流供給部７〜９は、ピンチフート１ａを通って導出されていて、各々ハロゲン白熱ランプの電気端子３と導電接続されている。３つの電流供給部７〜９は、水晶ガラスバー１０を通って、メインフィラメント５の巻回軸に対して共通面で固定されている。
【００１２】
本発明の第２の実施例の、図５に示されたハロゲン白熱ランプのコイル懸架部の詳細は、図２〜４に示されている。モリブデン薄膜５１０で囲まれた、メインフィラメント５の第１のフィラメント終端部５１は、第１の電流供給部７の曲げられた端部と溶接されている。モリブデン薄膜５２０で囲まれたメインフィラメント５の他方のフィラメント終端部５２は、第２の電流供給部８と溶接されており、この第２の電流供給部８には、減光ドーム６も溶接結合によって固定されている。モリブデン薄膜４１０で囲まれた、補助コイル４の第１のフィラメント終端部４１は、補助コイル４の巻回軸に対して横方向、ほぼ垂直方向に延びており、第３の電流供給部９の直角に曲げられた端部９１と溶接されている。第３の電流供給部９の曲げられた端部９１と、補助コイル４のフィラメント終端部４１は、共通面内で補助コイル４の巻回軸に対して垂直方向に設けられている。曲げられた端部９１は、約３ｍｍの長さを有している。モリブデン薄膜４２０で囲まれた第２のフィラメント終端部４２は、減光ドーム６に成形されたタブ６０１と溶接されている。そうすることによって、補助コイル４の固定の際に、既述したように、補助コイル４を先ずその第２のフィラメント終端部４２をタブ６０１に溶接して、続いて、その第１のフィラメント終端部４１を、曲げられた端部９１と溶接する場合に、若干の製造許容偏差を、その巻回プロセス中考慮するとよい。その際、曲げられた端部９１でのフィラメント終端部４１の溶接個所の位置が、前述の巻回プロセスの精度によって影響される。
【図面の簡単な説明】
【００１３】
【図１】本発明の第１の実施例による電気白熱ランプ用のコイル懸架部の側面図。
【図２】本発明の第２の実施例による電気白熱ランプ用のコイル懸架部の側面図。
【図３】図２に示されたコイル懸架部を９０°回転させて見た第２の側面図。
【図４】図２及び３に示されたコイル懸架部の平面図。
【図５】図２〜３に示されたコイル懸架部を装着することができるハロゲン白熱ランプの側面図。
【図６】図１に示されたコイル懸架部を装着された本発明の第１の実施例のハロゲン白熱ランプの側面図。
【符号の説明】
【００１４】
６１  ピンチフート、  ６０  ランプ容器、  ６２  ソケット、  ６３  白熱フィラメント、  ６３１，６３２  フィラメント終端部、  ６４，６５  電流供給部、  ６６乃至６７  電気端子、  ６３３、６３４  モリブデン薄膜、  ６５１  端部、  １ａ  ピンチフート、  １  ガラス製ランプ容器、  １ｂ  コーティング、  ３  電気端子、  ２  ソケット、  ４，５  白熱フィラメント、  ６  遮蔽装置（減光ドーム）、  ７，８，９  電流供給部、  １０  水晶ガラスバー、  ４１０，４２０，５１０，５２０  モリブデン薄膜、  ５１  フィラメント終端部、  ４１，４２  フィラメント終端部、  ９１  端部、  ６０１  タブ
【図１】
0004910108.tif 000002
【図２】
0004910108.tif 000003
【図３】
0004910108.tif 000004
【図４】
0004910108.tif 000005
【図５】
0004910108.tif 000006
【図６】
0004910108.tif 000007